(57)【要約】【課題】表示画像を自動的に調整することができる表示装置を提供する。【解決手段】シェル、及びシェルから部分的に露出され、第１方向を向いた表示パネルを含み、表示信号に応じて表示パネルに表示画像を表示する表示装置であって、第１視角で第１画像を取得し、第２視角で第２画像を取得し、第１方向は第１視角の範囲内にあり且つ第２視角の範囲外であるカメラアセンブリと、カメラアセンブリに電気的に接続され、第１画像が第１条件を満たす場合には第１指示を生成し、第２画像が第２条件を満たす場合には第２指示を生成する画像認識装置と、表示パネル及び画像認識装置と電気的に接続され、第１指示に応じて表示信号を調整して表示画像を隠し、第２指示に応じて表示信号を調整して表示パネル上に注意喚起メッセージを生成する信号プロセッサと、を含む表示画像を自動的に調整することができる表示装置。【選択図】図３Ａ
2020187354.tif 000002
【特許請求の範囲】
【請求項１】
シェル、及び前記シェルから部分的に露出され、第１方向を向いた表示パネルを含み、表示信号に応じて前記表示パネルに表示画像を表示するように構成される表示装置であって、
前記シェル上に設置され、第１視角で第１画像を取得し、第２視角で第２画像を取得するように構成され、前記第１方向は前記第１視角の範囲内にあり且つ前記第２視角の範囲外であるカメラアセンブリと、
前記シェルに設置されて前記カメラアセンブリに電気的に接続され、前記第１画像が第１条件を満たす場合には第１指示を生成し、前記第２画像が第２条件を満たす場合には前記第１指示とは異なる第２指示を生成するように構成される画像認識装置と、
前記表示パネル及び前記画像認識装置と電気的に接続され、前記第１指示に応じて前記表示信号を調整して前記表示画像を隠し、前記第２指示に応じて前記表示信号を調整して前記表示パネル上に注意喚起メッセージを生成する信号プロセッサと、
を含む、表示画像を自動的に調整することができる表示装置。
【請求項２】
前記第１視角と前記第２視角との合計が３６０°である、請求項１に記載の表示画像を自動的に調整することができる表示装置。
【請求項３】
前記カメラアセンブリは、第１カメラ装置および第２カメラ装置を備え、
前記第１カメラ装置は、前記第１画像を取得するように構成され、
前記第２カメラ装置は、前記第２画像を取得するように構成される、請求項１に記載の表示画像を自動的に調整することができる表示装置。
【請求項４】
ホワイトリストを記憶するように構成された記憶装置をさらに備え、
前記ホワイトリストは少なくとも一つの有効な顔画像を含み、前記第１条件は、前記第１画像が人間の顔を含み、前記人間の顔が前記少なくとも一つの有効な顔画像に該当していないことである、請求項１に記載の表示画像を自動的に調整することができる表示装置。
【請求項５】
ブラックリストを記憶するように構成された記憶装置をさらに備え、
前記ブラックリストは少なくとも一つの無効な顔画像を含み、前記第１条件は、前記第１画像が人間の顔を含み、前記人間の顔が前記少なくとも一つの無効な顔画像の一つに該当していることである、請求項１に記載の表示画像を自動的に調整することができる表示装置。
【請求項６】
前記カメラアセンブリは、別の第１画像を取得するようにさらに構成され、前記第１画像および前記別の第１画像は、指定された間隔で取得され、前記第１条件は、前記第１画像と前記別の第１画像が整合していないことである、請求項１に記載の表示画像を自動的に調整することができる表示装置。
【請求項７】
前記カメラアセンブリは、別の第１画像を取得するようにさらに構成され、前記第１画像および前記別の第１画像は、指定された間隔で取得され、前記画像認識装置は、前記第１画像に例外領域を設定するようにさらに構成され、前記第１条件は、前記カメラアセンブリによって取得された２つの連続する第１画像が前記例外領域の外側で整合していないこと、または、前記第１条件は、前記第１画像が前記例外領域の外側に人間の顔を含んでいることである、請求項１に記載の表示画像を自動的に調整することができる表示装置。
【請求項８】
前記第２条件は、前記第２画像が人間の顔を含むことである、請求項１に記載の表示画像を自動的に調整することができる表示装置。
【請求項９】
前記信号プロセッサは、前記第１指示および前記第２指示を同時に受信する場合、前記第１指示に従って前記表示信号を調整するようにさらに構成される、請求項１に記載の表示画像を自動的に調整することができる表示装置。
【請求項１０】
第１方向に面する表示装置によって表示信号に応じて表示画像を表示すること、
前記表示装置によって前記表示画像を表示した後、カメラアセンブリによって第１視角で第１画像を取得し、第２視角で第２画像を取得すること、
前記第１方向は前記第１視角の範囲内にあり且つ前記第２視角の範囲外であり、
画像認識装置によって前記第１画像および前記第２画像を検出し、前記第１画像が第１条件を満たす場合には第１指示を送信し、前記第２画像が第２条件を満たす場合には第２指示を送信すること、及び
信号プロセッサによって前記第１指示に応じて前記表示信号を調整して前記表示画像を隠すこと、又は前記第２指示に応じて前記表示信号を調整して前記表示画像上に注意喚起メッセージを生成すること、
を含む表示画像を自動的に調整する方法。
【請求項１１】
前記信号プロセッサによって前記第１指示に応じて前記表示信号を調整することが、前記第１指示および前記第２指示を同時に受信する場合、前記信号プロセッサによって前記第１指示に応じて前記表示信号を調整することを含む、請求項１０に記載の表示画像を自動的に調整する方法。
【請求項１２】
前記第１視角と前記第２視角との合計が３６０°である、請求項１０に記載の表示画像を自動的に調整する方法。
【請求項１３】
前記カメラアセンブリによって前記第１画像を取得し、前記第２画像を取得することは、
第１カメラ装置によって前記第１画像を取得すること、及び
第２カメラ装置によって前記第２画像を取得すること、を含む、請求項１０に記載の表示画像を自動的に調整する方法。
【請求項１４】
前記画像認識装置によって前記第１画像および前記第２画像を検出する前に、記憶装置によってホワイトリストを記憶することをさらに含み、
前記ホワイトリストは少なくとも１つの有効な顔画像を含み、
前記第１条件は、前記第１画像が人間の顔を含み、前記人間の顔が前記少なくとも１つの有効な顔画像に該当していないことである、請求項１０に記載の表示画像を自動的に調整する方法。
【請求項１５】
前記画像認識装置によって前記第１画像および前記第２画像を検出する前に、記憶装置によってブラックリストを記憶することをさらに含み、
前記ブラックリストは少なくとも１つの無効な顔画像を含み、
前記第１条件は、前記第１画像が人間の顔を含み、前記人間の顔が前記少なくとも１つの無効な顔画像の１つに該当していることである、請求項１０に記載の表示画像を自動的に調整する方法。
【請求項１６】
前記カメラアセンブリによって前記第１画像を取得した後、前記カメラアセンブリによって別の第１画像を取得すること、をさらに含み、
前記第１画像および前記別の第１画像は、指定された間隔で取得され、
前記第１条件は、前記第１画像および前記別の第１画像の内容が整合していないことである、請求項１０に記載の表示画像を自動的に調整する方法。
【請求項１７】
前記カメラアセンブリによって前記第１画像を取得した後、指定された間隔で前記カメラアセンブリによって別の第１画像を取得することと、前記画像認識装置によって例外領域を前記第１画像に設定することと、を含み、
前記第１条件は、前記カメラアセンブリによって取得された２つの連続する第１画像が前記例外領域の外側で整合していないこと、または、前記第１条件は、前記第１画像が前記例外領域の外側に人間の顔を含んでいることである、請求項１０に記載の表示画像を自動的に調整する方法。
【請求項１８】
前記第２条件は、前記第２画像が人間の顔を含むことである、請求項１０に記載の表示画像を自動的に調整する方法。
【発明の詳細な説明】
【技術分野】
【０００１】
本開示は、表示装置および表示画像を調整する方法に関し、より詳細には、画像認識に基づいて表示画像を調整することができる表示装置およびその方法に関する。
【背景技術】
【０００２】
オープンタイプのオフィスには、顧客やメーカー、従業員以外の人が訪れることが多い。これらの人々が通路を通る際に、コンピュータの画面に表示されている機密情報を簡単に覗き見したり、密かにキャプチャしたりすることができる。現在の市場では、覗き見防止製品は、多層光学フィルム又はコーティングが施されたプライバシーフィルタを使用して、のぞき見防止の効果を実現している。この種の製品は、光の反射角度を変化させて、画面の視角内に座っているユーザは画面上の内容を見ることができ、視角外のユーザは内容を見ることができないようにする方法を採用している。
【０００３】
しかし、光学的な原理で覗き見防止効果を実現するプライバシーフィルタは、画面の明るさの低下などの視覚的な干渉をユーザにもたらす。また、プライバシーフィルタを完全に透明にすることは不可能である。そのため、プライバシーフィルタを画面に設置した後は、ユーザが画面の視角内に入っていても、画面が暗い場合がある。また、ユーザは、鮮明な内容を画面に表示するために、画面の輝度を上げなければならない場合がある。この場合、余分な消費電力が発生するだけでなく、ユーザの目の健康にも影響を及ぼすことになる。
【０００４】
画面の覗き見を防止するための別の方法として、モニタ上に設置されたカメラによって取得された画像に基づいて画像認識を行い、所定の条件、例えば、画面の正面に存在する他の顔や、ユーザ以外の視線が画面に向けられていることを検出した場合には、画面をオフにする方法がある。このようにすることで、前述の条件を検出した場合には、現在表示されている画像を隠すことができる。
【０００５】
しかしながら、顔認証や視力検出では、処理にある程度の時間を要する。急にパソコンの画面に近づいてくる人のことを考慮すると、不審者をすぐに検知することは可能である。残念ながら、不審者が検出されてから画面がオフになるまでに、不審者は既に一定時間、機密情報を見ていることになる。言い換えれば、上述の方法では、不審者が画面の視界に突然現れた場合のリアルタイム判定の問題を克服することはまだできない。
【発明の概要】
【発明が解決しようとする課題】
【０００６】
したがって、本開示は、表示される画像を自動的に調整することができる表示装置および表示される画像を自動的に調整する方法を提供する。具体的には、本開示では、表示装置上に設置された、または表示装置に追加で接続されたカメラアセンブリを使用して、表示装置の周囲のパノラマを記録して解析し、ユーザが設定したブラックリストまたはホワイトリストを使用して、表示装置の表示画像を自動的に調整する効果を達成する。表示画像を自動的に調整する方法は、表示画像を切り替える、表示画像をオフにする、システムをログアウトするなどの覗き見防止機能を実行するユーザの要件に従う。
【課題を解決するための手段】
【０００７】
本開示の一つ以上の実施形態によれば、表示画像を自動的に調整することができる表示装置は、シェル、及び前記シェルから部分的に露出され、第１方向を向いた表示パネルを含み、表示信号に応じて前記表示パネルに表示画像を表示するように構成される表示装置であって、前記シェル上に設置され、第１視角で第１画像を取得し、第２視角で第２画像を取得するように構成され、前記第１方向は前記第１視角の範囲内にあり且つ前記第２視角の範囲外であるカメラアセンブリと、前記シェルに設置されて前記カメラアセンブリに電気的に接続され、前記第１画像が第１条件を満たす場合には第１指示を生成し、前記第２画像が第２条件を満たす場合には前記第１指示とは異なる第２指示を生成するように構成される画像認識装置と、前記表示パネル及び前記画像認識装置と電気的に接続され、前記第１指示に応じて前記表示信号を調整して前記表示画像を隠し、前記第２指示に応じて前記表示信号を調整して前記表示パネル上に注意喚起メッセージを生成する信号プロセッサと、を含む。
【０００８】
本開示の一つ以上の実施形態によれば、表示画像を自動的に調整する方法は、第１方向に面する表示装置によって表示信号に応じて表示画像を表示すること、前記表示装置によって前記表示画像を表示した後、カメラアセンブリによって第１視角で第１画像を取得し、第２視角で第２画像を取得すること、前記第１方向は前記第１視角の範囲内にあり且つ前記第２視角の範囲外であり、画像認識装置によって前記第１画像及び前記第２画像を検出し、前記第１画像が第１条件を満たす場合には第１指示を送信し、前記第２画像が第２条件を満たす場合には第２指示を送信すること、及び信号プロセッサによって前記第１指示に応じて前記表示信号を調整して前記表示画像を隠すこと、又は前記第２指示に応じて前記表示信号を調整して前記表示画像上に注意喚起メッセージを生成すること、を含む。
【発明の効果】
【０００９】
要約すると、本開示は、表示画像を自動的に調整することができる表示装置、及び表示画像を自動的に調整する方法を提案した。本開示は、カメラアセンブリを使用して、表示装置の周囲のパノラマ画像を取得する。本開示は、ユーザが、メイン検出フレーム及び副検出フレームに従って二つの条件を個別に設定することを可能にする。本開示は、主検出フレームと副検出フレームとがそれぞれ異なる指示に対応し、フレームがカスタマイズされた条件を満たしていることを検出した場合に指示を生成する。表示装置は、メイン検出フレームが第１条件を満たした場合に、表示画像を自動的に隠すことができる。表示装置は、副検出フレームが第２条件を満たした場合に、表示画像に注意喚起メッセージを生成することができる。本開示のカメラアセンブリは、表示装置の周囲に複数のカメラレンズを配置して、パノラマ画像の死角を低減することができ、したがって、不審者が表示装置に表示される機密情報を覗き見ることを防止する。
【図面の簡単な説明】
【００１０】
【図１】本開示の一実施形態による、表示画像を自動的に調整することができる表示装置の構造図である。
【図２Ａ】表示画像を自動的に調整することができる表示装置に設置されたカメラアセンブリの第１の例を示す図である。
【図２Ｂ】本開示の一実施形態による、表示画像を自動的に調整することができる表示装置の上面図である。
【図３Ａ】表示画像を自動的に調整することができる表示装置のカメラアセンブリの第２の例を示す図である。
【図３Ｂ】表示画像を自動的に調整することができる表示装置のカメラアセンブリの第２の例の側面図を示す図である。
【図４】本開示の一実施形態による、表示画像を自動的に調整する方法のフローチャートである。
【図５】本開示の一実施形態の、表示画像を自動的に調整することができる表示装置による第１視角および第２視角の概略図である。
【図６Ａ】本開示の一実施形態の表示画像を自動的に調整することができる表示装置による第１画像である。
【図６Ｂ】本開示の一実施形態の表示画像を自動的に調整することができる表示装置による第２画像である。
【図７】本開示の一実施形態の、表示画像を自動的に調整することができる表示装置による第１画像の例外領域の概略図である。
【発明を実施するための形態】
【００１１】
本開示は、以下に与えられる詳細な説明および例示としてのみ与えられ、したがって本開示を限定しない添付の図面から、より完全に理解されるであろう。
【００１２】
以下の詳細な説明では、説明の目的のため、開示された実施形態の完全な理解を提供するために、多数の具体的な詳細が記載されている。しかしながら、一つ以上の実施形態が、これらの特定の詳細なしに実施されてもよいことは明らかであろう。他の実施例では、図面を簡略化するために、周知の構造および装置が模式的に示されている。
【００１３】
図１を参照されたい。図１は、本開示の一実施形態による、表示画像を自動的に調整することができる表示装置１００の構造図である。図１に示すように、表示装置１００は、表示パネル１０、カメラアセンブリ３０、画像認識装置５０、および信号プロセッサ７０を含み、表示パネル１０は信号プロセッサ７０に電気的に接続し、画像認識装置５０はカメラアセンブリ３０および信号プロセッサ７０に電気的に接続する。
【００１４】
表示パネル１０は、表示信号に応じて表示画像を表示する。カメラアセンブリ３０は、少なくとも第１画像および第２画像を取得する。画像認識装置５０は、第１画像が第１条件を満たす場合に第１指示を生成し、第２画像が第２条件を満たす場合に第２指示を生成する。ここで、第１指示は、第２指示とは異なる。信号プロセッサ７０は、第１指示に応じて表示画像を隠すように表示信号を調整し、第２指示に応じて表示画像上にリマインダメッセージ（注意喚起メッセージ）を生成するように表示信号を調整する。
【００１５】
本開示の一実施形態による表示装置１００のカメラアセンブリ３０の２つの例が図２Ａ、図２Ｂ、図３Ａおよび図３Ｂに示されている。
【００１６】
図２Ａを参照されたい。表示装置１００の外観は、表示パネル１０、カメラアセンブリ３０を含み、さらに、シェル９０を含む。表示パネル１０は、シェル９０から部分的に露出している。表示パネル１０は、第１方向Ｄ１に面しており、ユーザに表示画像を表示する。カメラアセンブリ３０は、シェル９０上に設置され、カメラアセンブリ３０のレンズは、シェル９０から部分的に露出される。図２Ａおよび図２Ｂには図示されないが、画像認識装置５０および信号プロセッサ７０は、シェル内に設けられる。
【００１７】
第１の例では、カメラアセンブリ３０は、図２Ａに示すように、シェル９０の外側に設けられた回転機構４０をさらに含む。したがって、カメラアセンブリ３０は、Ｚ軸を中心に回転して、表示装置１００の周りの画像を取得することができる。
【００１８】
図２Ｂを参照されたい。図２Ｂは、表示装置１００の上面図である。 図２Ｂは、カメラアセンブリ３０のレンズが２つの方向を向いているときの第１視角Ａ１および第２視角Ａ２を示している。第１方向Ｄ１は、第１視角Ａ１の範囲内にあり、第２視角Ａ２の範囲外である。
【００１９】
実際には、カメラアセンブリ３０は、１８０度の画角を有するような広角レンズを含んでもよい。したがって、第１視角Ａ１で得られた画像および第２視角Ａ２で得られた画像は、表示装置１００の周囲３６０度の範囲をカバーすることができる。しかしながら、本開示は、視角Ａ１および視角Ａ２の範囲を限定するものではない。例えば、各レンズの画角が１８０度より小さい場合、回転機構４０を使用してカメラアセンブリ３０を制御し、表示装置１００の周囲３６０度の範囲を完全にカバーするために２つ以上の方向で画像を撮影する。
【００２０】
図３Ａを参照されたい。第２の例では、カメラアセンブリ３０は、合計２つのレンズを含む第１カメラ装置３２および３２’と、一つのレンズを有する第２カメラ装置３４などの複数のカメラ装置を有する。第１カメラ装置３２および３２’は、第１方向Ｄ１に面し、シェル９０上に設けられる。第２カメラ装置３４はシェル９０上に設けられ、第１方向Ｄ１は、第２カメラ装置３４の画角の範囲内にはない。
【００２１】
図３Ｂは、図３Ａに示される表示装置１００によるカメラアセンブリ３０の第２の例の側面図を示す。図３Ｂに示すように、第１カメラ装置３２および３２’と第２カメラ装置３４とは、表示装置１００に基づいて異なる視角を有する。本開示は、一つのレンズまたは複数のレンズから構成されるカメラアセンブリ３０によって、表示装置１００の周囲３６０度のパノラマ画像を取得する。本開示は、カメラアセンブリ３０のカメラ装置の数を限定しない。カメラアセンブリ３０が３６０度のパノラマ画像を得ることができる場合、カメラアセンブリ３０を画像認識装置５０および信号プロセッサ７０と統合することにより、覗き見防止機能を達成することができる。
【００２２】
図４を参照されたい。図４は、本開示の一実施形態による、表示画像を自動的に調整する方法のフローチャートである。
【００２３】
ステップＳ１を参照されたい。表示装置１００は、第１方向Ｄ１に面しており、表示信号に応じて表示画像を表示する。
【００２４】
ステップＳ２を参照されたい。表示装置１００によって表示画像が表示された後、カメラアセンブリ３０は、第１視角Ａ１で第１画像を取得し、第２視角Ａ２で第２画像を取得する。ここで、第１方向Ｄ１は、第１視角Ａ１の範囲内にあり、第２視角Ａ２の範囲外である。
【００２５】
ステップ３を参照されたい。画像認識装置５０は、第１画像が第１条件を満たすかどうかを判定する。判定結果がＹＥＳである場合、次にステップＳ５が実行される。すなわち、画像認識装置５０が第１指示を送信する。次に、ステップＳ７が実行される。すなわち、信号プロセッサ７０は、第１指示に応じて表示画像を隠すように表示信号を調整する。 例えば、信号プロセッサ７０は、表示装置１００の輝度、色、またはフォントサイズを変更してもよく、表示画像にポップアウトウィンドウを生成してもよく、または表示画像上にストレージスペースに記憶された特定の画像を表示してもよい。また、信号プロセッサ７０は、第１指示を受信すると、第１指示に対応する指示を表示装置１００に接続されたコンピュータホストに送信し、ログアウトやウィンドウの切り替えを行ってもよい。ステップＳ７が終了すると、ステップＳ１が実行され、表示装置１００は、最新の表示信号に応じた表示画像を表示する。
【００２６】
ステップＳ４を参照されたい。画像認識装置５０は、第２画像が第２条件を満たすかどうかを判定する。判定結果がＹＥＳである場合、ステップＳ３’が次に実行される。すなわち、画像認識装置５０は、第１画像が第１条件を満たすかどうかを判定する。ステップＳ３’の判定結果がＹＥＳである場合、次にステップＳ５が実行される。ステップＳ３’の判定結果がＮｏである場合、ステップＳ６が次に実行される。すなわち、画像認識装置５０が第２指示を送信し、その後ステップＳ８が実行される。すなわち、第２指示に応じて、信号プロセッサ７０は表示信号を調整して表示パネル上に注意喚起メッセージを生成する。尚、ステップＳ３’では、ステップ３の判定結果を用いてもよい。
【００２７】
ステップＳ２で述べた第１視角Ａ１および第２視角Ａ２の詳細について以下に述べる。図５を参照されたい。図５は、図３Ａおよび図３Ｂに示される表示装置１００に係る第１視角Ａ１および第２視角Ａ２の模式図である。第１カメラ装置３２および３２’は、２つの画角、Ａ３２およびＡ３２’を有する。第１視角は、上記の２つの画角Ａ３２とＡ３２’との組み合わせである。言い換えれば、複数のカメラ装置を使用することにより、より大きな画角を形成して、１つのカメラ装置では画角が小さいという問題を解決できる。第２カメラ装置３４の画角は、第２視角Ａ２として機能する。実際には、図５に示される第１カメラ装置３２および３２’のように複数の第２カメラ装置３４があってもよい。本開示は、第２カメラ装置３４のレンズの数を限定しない。図５に示すように、第１方向Ｄ１は、第１視角Ａ３２およびＡ３２’の範囲内にあり、第２視角Ａ３４の範囲外にある。図５において、ユーザＵ１は、表示装置１００の第１方向Ｄ１に位置し、不審者Ｕ２は、第１方向Ｄ１とは反対方向に位置する。
【００２８】
図６Ａ及び図６Ｂを参照されたい。図６Ａは、第１カメラ装置３２および３２’によって取得された第１画像Ｍ１を示し、第１画像Ｍ１は、ユーザＵ１を含む。図６Ｂは、第２カメラ装置３４によって取得された第２画像Ｍ２を示し、第２画像Ｍ２は、不審者Ｕ２を含む。
【００２９】
以下、ステップＳ３で述べた第１条件とステップＳ４で述べた第２条件について詳細に説明する。尚、第１条件に適合された決定方法は、第２条件にも適合される。本開示の一実施形態では、第２条件は、第２画像Ｍ２が人間の顔を含むことである。
【００３０】
本開示の一実施形態では、表示画像を自動的に調整することができる表示装置１００は、ホワイトリストを記憶するように構成された記憶装置をさらに備える。ホワイトリストには、複数の有効な顔画像が含まれている。第１条件は、第１画像Ｍ１が人間の顔を含み、この人間の顔がホワイトリストの有効な複数の顔画像に該当していないことである。一実施形態では、画像認識装置５０は、第１画像Ｍ１の人間の顔の特徴値を計算してもよい。さらに、ホワイトリストには、有効な顔画像だけでなく、これらの有効な顔画像に対応する事前に計算された特徴値も格納される。例えば、画像認識装置５０が、第１画像Ｍ１におけるユーザＵ１の人間の顔がホワイトリストの有効な顔画像のいずれとも一致しないと判断した場合、画像認識装置５０は、図４のステップＳ５に示されるように第１指示を生成する。一実施形態において、第１画像Ｍ１がホワイトリストの有効な顔画像のいずれかに一致するかどうかを判断する方法は、第１画像Ｍ１の人間の顔部分の特徴値とホワイトリストの有効な顔画像の各特徴値との差を計算することである。差が閾値より小さい場合、判定結果は「一致」となる。
【００３１】
画像認識装置５０は、ホワイトリストにおいてユーザＵ１に対応する記録を発見した場合、表示装置１０がユーザに表示画像を表示するように、画面のロックを解除する指示を送信する。また、画像認識装置５０は、ロック解除操作が行われる度に、ユーザＵ１の人の顔の特徴量を（ホワイトリストの顔画像として）ホワイトリストの有効な顔画像に更新する。ホワイトリストに基づくロック解除操作の成功率は、ホワイトリストに記憶されている有効な顔画像に特徴値を更新することによって改善することができる。
【００３２】
本開示の別の実施形態では、表示画像を自動的に調整することができる表示装置１００は、ブラックリストを記憶するように構成された記憶装置をさらに備える。ブラックリストには、無効な顔画像が複数含まれている。第１条件は、第１画像Ｍ１が人間の顔を含み、この人間の顔がブラックリストの無効な顔画像の１つに該当することである。例えば、画像認識装置５０が、第１画像Ｍ１におけるユーザＵ１の人間の顔がブラックリストの無効な顔画像のいずれかに一致すると判断した場合、画像認識装置５０は、図４のステップＳ５に示されるように第１指示を生成する。
【００３３】
上記２つの例で説明した顔認識に加えて、２つのタイミングで得られた２つの第１画像Ｍ１の比較によって第１指示が生成されてもよい。例えば、カメラアセンブリ３０は、指定された間隔で第１画像Ｍ１を取得してもよく、第１条件は、連続的に取得される２つの第１画像Ｍ１の２つの内容が整合していないことである。
【００３４】
図７を参照されたい。本開示の別の実施形態では、画像認識装置５０は、第１画像Ｍ１に例外領域ＥＲを設定するようにさらに構成される。この実施形態では、第１条件は、カメラアセンブリ３０によって取得された２つの連続する第１画像Ｍ１が例外領域ＥＲの外側で整合していないこと、または、第１条件は、第１画像Ｍ１が例外領域ＥＲの外側に人間の顔を含むことである。例えば、ユーザＵ１は、表示装置１００の前に現れる可能性のある利用可能領域（例えば、表示装置１００の正面に対応する領域）を例外領域ＥＲとして設定してもよい。画像認識装置５０は、この利用可能領域外の画像の変化を検出するとすぐに第１指示を生成する。別の例では、画像認識装置５０は、この利用可能領域の外側に人間の顔を検出するとすぐに第１指示を生成する。上記の決定方法は、第１条件の柔軟性を改善するために、前述のホワイトリストまたは前述のブラックリストと組み合わせることができる。
【００３５】
以下にステップＳ４からステップＳ３’までの流れを詳細に説明する。画像認識装置５０は、第２画像Ｍ２が第２条件を満たすと判定すると、現在の第１画像Ｍ１が第１条件を満たすか否かをさらに判定する。判定結果がＹＥＳであれば、ある不審者が表示装置１００の正面側に現れ、別の不審者が表示装置１００の背面側に現れることを意味する。したがって、機密情報の漏洩を防ぐために、表示画像を隠すことを優先する必要がある。したがって、第１指示を送るためにステップＳ５が実行される。判定結果がＮｏであれば、不審者が表示装置１００の背面側にしか現れていないことを意味する。したがって、第１指示とは異なる第２指示を送信するためにステップＳ６が実行される。不審者が表示装置１００の正面側に現れる場合と、別の不審者が表示装置１００の背面側に現れる場合とでは、上記の条件とは異なる保護メカニズムを実装する必要がある。例えば、不審者が表示装置１００の背面側にいる場合、不審者は表示装置１００が表示する内容を直接覗くことができないため、信号処理部７０は、注意喚起メッセージを生成してユーザに通知するだけでよい。結果として、本開示の実施形態による、表示画像を自動的に調整する方法は、表示画像を不明瞭にする頻度を低減して、ユーザへのさらなる干渉を引き起こさないようにすることができる。
【００３６】
第１画像Ｍ１はメイン検出フレームと呼ばれてもよく、メイン検出フレーム以外の空間でカメラアセンブリ３０によって取得された第２画像Ｍ２は副検出フレームと呼ばれてもよい。カメラアセンブリ３０が複数のレンズを有する場合、第１方向Ｄ１を向いたレンズはメインレンズと呼ばれ、メインレンズによって撮像された画像がメイン検出フレームと呼ばれる。第１方向Ｄ１以外の方向を向くレンズを副レンズと呼ばれ、副レンズによって撮像された画像が副検出フレームと呼ばれる。本開示は、画像認識装置５０および信号プロセッサ７０を使用して、覗き見防止機能を実行するためにメイン検出フレームで顔認識および画像検出を行い、事前に覗き見を防止する警告機能を実行するために副検出フレームで画像検出を行う。
【００３７】
一実施形態において、画像認識装置５０が第２画像Ｍ２にブラックリストメカニズムを適用して第２指示を生成する場合、ブラックリストに記録された不審者Ｕ２の顔画像は、キャッシュに格納されてもよい。第１画像に人間の顔が現れていることを検出すると、画像認識装置５０は、最初にキャッシュ内の顔画像特徴値にアクセスし、それにより、ブラックリストで一致する顔画像を見つける速度を上げる。また、第２指示により信号処理部７０が警告を発した後に、不審者Ｕ２が表示装置１００の正面側に移動して画面を覗く直前に、第１指示を生成して表示画像を隠すようにしてもよく、これにより機密情報の漏洩を防ぐことができる。言い換えると、本開示による表示画像を自動的に調整する方法は、第２条件および第１条件の設定によって、連続時間内に同一の不審者を検出するか否かを判定し、それに応じて対応する覗き見防止メカニズムを実行してもよい。
【００３８】
要約すると、本開示は、表示画像を自動的に調整することができる表示装置および表示画像を自動的に調整する方法を提案した。本開示は、カメラアセンブリを使用して、表示装置の周囲のパノラマ画像を取得する。本開示は、ユーザが、メイン検出フレームおよび副検出フレームに応じて２つの条件を個別に設定することを可能にする。本開示は、フレームがカスタマイズされた条件を満たすことを検出したときに指示を生成し、メイン検出フレームおよび副検出フレームはそれぞれ異なる指示に対応する。表示装置は、メイン検出フレームが第１条件を満たすときに、表示画像を自動的に隠すことができる。表示装置は、副検出フレームが第２条件を満たしたときに、表示画像に注意喚起メッセージを生成することができる。本開示のカメラアセンブリは、表示装置の周囲に複数のカメラレンズを設けて、パノラマ画像の死角を低減することができ、したがって、不審者が表示装置に表示される機密情報を覗き見ることを防止する。
【符号の説明】
【００３９】
１０：表示パネル、３０：カメラアセンブリ、３２，３２’：第１カメラ装置、３４：第２カメラ装置、４０：回転機構、５０：画像認識装置、７０：信号プロセッサ、９０：シェル、１００：表示装置
【図１】
2020187354.tif 000003
【図２Ａ】
2020187354.tif 000004
【図２Ｂ】
2020187354.tif 000005
【図３Ａ】
2020187354.tif 000006
【図３Ｂ】
2020187354.tif 000007
【図４】
2020187354.tif 000008
【図５】
2020187354.tif 000009
【図６Ａ】
2020187354.tif 000010
【図６Ｂ】
2020187354.tif 000011
【図７】
2020187354.tif 000012